(57)【特許請求の範囲】
【請求項１】
それぞれが複数のコイルおよび複数のコンデンサで形成され、並列に接続された第１および第２のパルス成形回路を有するパルス変調器において、前記第１パルス成形回路を形成するコイルと前記第２パルス成形回路を形成するコイルが所定間隔で外周に巻かれたボビンと、前記複数のコイルそれぞれに近い前記ボビンの内部空間内に位置し、かつ、前記ボビンの軸方向に移動できるように設けられた複数の金属部材と、この複数の金属部材を連結する連結体とを具備したパルス変調器。
【請求項２】
それぞれが複数のコイルおよび複数のコンデンサで形成され、並列に接続された第１および第２のパルス成形回路を有するパルス変調器において、前記第１パルス成形回路を形成するコイルが外周に巻かれた第１ボビンと、前記第２パルス成形回路を形成するコイルが外周に巻かれた第２ボビンと、前記複数のボビンそれぞれの内部空間内に位置し、前記ボビンの軸方向に移動できるように設けられた金属部材と、この金属部材を連結する連結体とを具備したパルス変調器。
【請求項３】
金属部材が金属パイプであることを特徴とする請求項１または請求項２記載のパルス変調器。
【発明の詳細な説明】
【０００１】
【発明の属する技術分野】
本発明は、調整が容易な可変インダクタ装置を用いたパルス変調器に関する。
【０００２】
【従来の技術】
従来、パルスを成形する場合、コイルやコンデンサで構成されたパルス成形回路を有するパルス変調器が使用されている。ここで、従来のパルス変調器について図３を参照して説明する。
【０００３】
端子Ｔ１、Ｔ２間に直流電圧が印加される。この直流電圧は、コイルＬやダイオードＤ１を通してパルス成形回路３１に加えられる。パルス成形回路３１は、例えば、コイルとコンデンサで構成され、端子Ｔ１、Ｔ２間に印加される直流電圧によってコンデンサが充電される。
【０００４】
そして、ダイオードＤ２にトリガーが印加され導通状態になると、パルス成形回路３１のコンデンサに充電された電荷がパルストランスＴを通して放電される。このとき、パルストランスＴの１次側の電圧が昇圧され２次側の出力端ＯＵＴにパルスＰが出力される。なお、出力端ＯＵＴに出力されるパルスＰの幅はパルス成形回路３１の遅延時間で決定される。
【０００５】
パルス成形回路３１は、例えば、図４に示すように複数のコイルＬ１〜Ｌ４と複数のコンデンサＣ１〜Ｃ４で構成され、直流電圧によってコンデンサＣ１〜Ｃ４が充電される。なお、成形されるパルスの電力が大きくなると、パルス成形回路に大きな電流が流れるようになる。このような場合、図５に示すように、それぞれがコイルＬ１〜Ｌ４やコンデンサＣ１〜Ｃ４で構成される複数のパルス成形回路５１、５２が並列に接続される。
【０００６】
ところで、パルス変調器で成形されるパルスはその中央部分の平坦度をよくする必要がある。このようなパルスの平坦度はパルス成形回路で調整される。パルス成形回路を調整する場合、コンデンサのキャパシタンスの値あるいはコイルのインダクタンスの値が制御される。しかし、コンデンサは容器に収納された構造になっているため調整が難しい。このため、通常、パルス成形回路を構成するコイルに可変インダクタを使用し、そのインダクタンスの値が制御される。
【０００７】
ここで、従来の可変インダクタ装置について図６を参照して説明する。
【０００８】
符号６１はボビンで、ボビン６１の一端に巻線ストッパ６１ａが設けられている。また、ボビン６１の外周にコイル６２が巻かれている。符号６２ａ、６２ｂはそれぞれコイル６２の端子である。そして、ボビン６１の内部空間にアルミパイプ６３が配置されている。アルミパイプ６３はボビン６１の軸方向に移動できる構造になっており、その位置を変えることによってインダクタンスの値が調整される。
【０００９】
【発明が解決しようとする課題】
従来の可変インダクタ装置は１つ１つが独立した構造になっている。したがって、パルスの平坦度を調整する場合、可変インダクタをそれぞれ１つずつ順に調整している。このため、可変インダクタの調整時間が長くなってしまう。
【００１０】
また、複数のパルス成形回路が並列に接続されている場合も、可変インダクタが１つづつ順番に調整される。このとき、一方のパルス成形回路に接続された可変インダクタを調整すると、他方のパルス成形回路との間でバランスがくずれてしまう。パルス成形回路間でバランスがくずれると、パルス成形回路内に電位差が生じ、この結果、可変インダクタやコンデンサで構成されるパルス成形回路内に電流が流れ損失が発生する。
【００１１】
本発明は、上記した欠点を解決するもので、調整作業が容易で、また、損失の少ない可変インダクタ装置を用いたパルス変調器を提供することを目的とする。
【００１２】
【課題を解決するための手段】
本発明は、それぞれが複数のコイルおよび複数のコンデンサで形成され、並列に接続された第１および第２のパルス成形回路を有するパルス変調器において、前記第１パルス成形回路を形成するコイルと前記第２パルス成形回路を形成するコイルが所定間隔で外周に巻かれたボビンと、前記複数のコイルそれぞれに近い前記ボビンの内部空間内に位置し、かつ、前記ボビンの軸方向に移動できるように設けられた複数の金属部材と、この複数の金属部材を連結する連結体とを具備している。
【００１３】
また、本発明は、それぞれが複数のコイルおよび複数のコンデンサで形成され、並列に接続された第１および第２のパルス成形回路を有するパルス変調器において、前記第１パルス成形回路を形成するコイルが外周に巻かれた第１ボビンと、前記第２パルス成形回路を形成するコイルが外周に巻かれた第２ボビンと、前記複数のボビンそれぞれの内部空間内に位置し、前記ボビンの軸方向に移動できるように設けられた金属部材と、この金属部材を連結する連結体とを具備している。
【００１４】
また、金属部材が金属パイプであることを特徴とする請求項１または請求項２記載のパルス変調器。
【００１６】
上記の構成によれば、複数の可変インダクタの金属部材、例えば金属パイプが連結体で連結され、金属部材が一緒に移動する構造になっている。したがって、パルス変調器などのように複数のパルス成形回路が並列に接続されている場合に、金属部材が連結体で連結された各可変インダクタをそれぞれ並列に接続された別のパルス成形回路に用いることができる。この場合、パルス成形回路全体のインダクタンスの値を調整する場合に、並列に接続された例えば２つのパルス成形回路の特性が同じように、そして一緒に変化する。したがって、並列に接続されたパルス成形回路間のバランスがくずれない。このため、パルス成形回路を調整する際に電流が流れて損失が生じるようなことがなくなる。また、並列に接続されたパルス成形回路の特性が同一であるため、両者間のパルス波形にも差が生じない。また、並列に接続されたパルス成形回路の可変インダクタが同時に調整されるので、調整時間が短くなる。
【００１７】
【発明の実施の形態】
本発明の実施の形態について図１を参照して説明する。符号１１はボビンで、ボビン１１の一端、そして中間に巻線ストッパ１１ａ、１１ｂが設けられている。ボビン１１の外周には所定間隔で、例えば２つのコイル１２ａ、１２ｂが巻かれている。ボビン１１の内部空間には、コイル１２ａ、１２ｂが巻かれた近くに金属部材、例えば中空のアルミパイプ１３ａ、１３ｂがボビン１１の内面に接するように設けられる。２つのアルミパイプ１３ａ、１３ｂは互いに連結体１４で連結され、ボビン１１の軸方向に一体で移動する構造になっている。
【００１８】
上記した構成の場合、共通のボビン１１を利用して２つの可変インダクタ１０Ａ、１０Ｂが構成されていることになる。このとき、２つの可変インダクタ１０Ａ、１０Ｂを構成するコイルとアルミパイプの位置関係やその特性は同じにしている。このため、２つの可変インダクタ１０Ａ、１０Ｂの特性を変化させる際、アルミパイプ１３ａ、１３ｂが一緒に移動し、２つの可変インダクタ１０Ａ、１０Ｂの特性はそれぞれ同じように変化する。
【００１９】
したがって、並列に接続された例えば２つのパルス成形回路を構成する場合に、上記した構成の可変インダクタ装置を用い、その２つの可変インダクタ１０Ａ、１０Ｂがそれぞれ並列に接続された別のパルス成形回路を構成するようにする。
【００２０】
このようにすれば、パルス成形回路全体のインダクタンスの値を調整する場合に、並列に接続された２つのパルス成形回路の特性が同じように、そして一緒に変化する。このため、並列に接続された２つのパルス成形回路間のバランスがくずれない。したがって、パルス成形回路を調整する際に電流が流れて損失が生じるようなことのないパルス変調器を実現できる。また、並列に接続されたパルス成形回路の特性が同一であるので、両者間のパルス波形にも差が生じない。また、２つのパルス成形回路の可変インダクタが同時に調整されるので、調整時間も短縮される。
【００２１】
次に、本発明の他の実施形態について図２を参照して説明する。なお、図２では図１に対応する部分には同一の符号を付し、重複する部分は一部説明を省略する。
【００２２】
この実施形態では、２つの可変インダクタ１０Ａ、１０Ｂが並んだ構造になっている。そして、ボビン１１内部の空間に配置されるアルミパイプ１３ａ、１３ｂが連結体１４で連結され、一緒に移動する構成になっている。
【００２３】
この場合も、２つの可変インダクタ１０Ａ、１０Ｂが、それぞれ並列に接続された別のパルス成形回路に使用されるようにすれば、調整時間が短縮でき、パルス成形回路間で波形の差がないパルス変調器を構成できる。
【００２４】
なお、上記した実施の形態では、２つの可変インダクタの金属パイプを一体に連結する場合で説明している。しかし、３つ以上の可変インダクタの金属パイプを一体に連結する構成にすることもできる。また、ボビン内部の空間に配置される金属部材として中空のアルミパイプの例で説明している。しかし、中空でない金属棒などを使用することもできる。
【００２５】
【発明の効果】
本発明によれば、パルス波形の調整時間を短縮でき、また、損失の少ない可変インダクタ装置を用いたパルス変調器を実現できる。
【図面の簡単な説明】
【図１】本発明の実施の形態を示す概略の構造図である。
【図２】本発明の他の実施形態を示す概略の構造図である。
【図３】従来技術を説明する回路図である。
【図４】従来技術を説明する回路図である。
【図５】従来技術を説明する回路図である。
【図６】従来技術を示す概略の構造図である。
【符号の説明】
１１…ボビン
１１ａ、１１ｂ…巻線ストッパ
１２ａ、１２ｂ…コイル
１３ａ、１３ｂ…アルミパイプ
１４…連結体
【図１】
0003540114.tif 000002
【図２】
0003540114.tif 000003
【図３】
0003540114.tif 000004
【図４】
0003540114.tif 000005
【図５】
0003540114.tif 000006
【図６】
0003540114.tif 000007